(57)【要約】      （修正有）【課題】子供が安全にかき氷を作って遊ぶことができる氷かき玩具を提供する。【解決手段】氷かき玩具１００は、上方にハンドルを有し、下方に環状の係合部７５を有し、円板状の氷押圧部を収納する本体部５０と、切削刃２１を有する底部と筒状の側壁部１６とを有して氷を入れる空間を形成し、側壁部１６の下方外周には係合部７５に押下される突起部を内蔵する環状溝部１３を有し、突起部が押下されたときに移動して切削刃２１を覆う位置から外れる保護板４１を備える可動式保護部を底部に有する氷収納部１０と、スタンド８０とを備える。保護板４１には保護板バネを備え、氷収納部１０に本体部５０が取り付けられていないとき、係合部７５を押し上げるとともに切削刃２１の刃先を覆う位置に保護板４１を位置させるように保護板バネにより付勢している。【選択図】図２
0003177727.tif 000002
【実用新案登録請求の範囲】
【請求項１】
家庭で子供が遊びながらかき氷を作る氷かき玩具であって、
上方に回転可能とされるハンドルを有し、下方に環状の係合部を有し、内部に前記ハンドルと一体とされて回転及び上下移動可能な円板状の氷押圧部を収納する本体部と、
切削刃を有する底部と筒状の側壁部とを有して氷を入れる空間を形成し、前記側壁部の下方外周には前記係合部を収納可能とするとともに収納した前記係合部に押下される突起部を内蔵する環状溝部を有し、前記突起部が押下されたときに移動して前記切削刃を覆う位置から外れる保護板を備える可動式保護部を前記底部に有する氷収納部と、
前記氷収納部の下方に配置され、前記ハンドルの押下回転操作によって、前記氷押圧部が回転降下したとき、前記切削刃によって砕かれたかき氷を受けるためのかき氷受皿容器を配置させる容器配置空間を前記底部の下方に形成するスタンドと、を備え、
前記保護板には、保護板バネを備え、前記氷収納部に前記本体部が取り付けられていないとき、前記係合部を押し上げるとともに前記切削刃の刃先を覆う位置に当該保護板を位置させるように前記保護板バネにより付勢していることを特徴とする氷かき玩具。
【請求項２】
前記保護板バネは、前記底部の外周縁近傍に配置されていることを特徴とする請求項１に記載の氷かき玩具。
【考案の詳細な説明】
【技術分野】
【０００１】
本考案は、かき氷を作って遊べる氷かき玩具に関する。
【背景技術】
【０００２】
従来、一般家庭で用いられる簡便な氷かき玩具は、玩具本体部の円筒形の氷収納部の底面に切削刃を臨ませたスリットを設け、ハンドルにより回転される氷押さえ板を上記の氷収納部に収納した構成となっている。上記のような氷かき玩具は、子供のために保護者が、或いは子供自身が使用することが一般的であった。
【０００３】
例えば、下記に示す特許文献１には、簡単な構造で、しかも腕力のない年少者でも容易にかき氷を作ることができる氷かき玩具が開示されている。
【先行技術文献】
【特許文献】
【０００４】
【特許文献１】実用新案登録第３１０９４２９号公報
【考案の概要】
【考案が解決しようとする課題】
【０００５】
しかしながら、特許文献１に示す氷かき玩具は、氷を入れた容器を紐体の引き操作により容器内で繰り返し回転させることによりかき氷を作るものであり、紐体の引き操作という簡単な作業で短時間にかき氷を作成することができるが、容器に氷を投入するときに誤って指等を切削刃に接触させる虞があり、取り扱いに注意が必要であった。
【０００６】
本考案は、上述したような従来技術の問題点に鑑みてなされたものであり、子供がより安全にかき氷を作って遊ぶことができる氷かき玩具を提供することを目的としている。
【課題を解決するための手段】
【０００７】
本考案の氷かき玩具は、家庭で子供が遊びながらかき氷を作る氷かき玩具であって、上方に回転可能とされるハンドルを有し、下方に環状の係合部を有し、内部に前記ハンドルと一体とされて回転及び上下移動可能な円板状の氷押圧部を収納する本体部と、切削刃を有する底部と筒状の側壁部とを有して氷を入れる空間を形成し、前記側壁部の下方外周には前記係合部を収納可能とするとともに収納した前記係合部に押下される突起部を内蔵する環状溝部を有し、前記突起部が押下されたときに移動して前記切削刃を覆う位置から外れる保護板を備える可動式保護部を前記底部に有する氷収納部と、前記氷収納部の下方に配置され、前記ハンドルの押下回転操作によって、前記氷押圧部が回転降下したとき、前記切削刃によって砕かれたかき氷を受けるためのかき氷受皿容器を配置させる容器配置空間を前記底部の下方に形成するスタンドと、を備え、前記保護板には、保護板バネを備え、前記氷収納部に前記本体部が取り付けられていないとき、前記係合部を押し上げるとともに前記切削刃の刃先を覆う位置に当該保護板を位置させるように前記保護板バネにより付勢していることを特徴とする。
【０００８】
さらに、本考案の氷かき玩具は、前記保護板バネが前記底部の外周縁近傍に配置されていることを特徴とする。
【考案の効果】
【０００９】
本考案によれば、子供が安全にかき氷を作って遊ぶことができる氷かき玩具を提供することができる。
【００１０】
また、本考案によれば、氷収納部の底部の外周縁近傍に保護板バネを設けることにより、保護板の作動を安定させることを可能にしている。
【図面の簡単な説明】
【００１１】
【図１】本考案の実施例に係る氷かき玩具の外観斜視図である。
【図２】本考案の実施例に係る氷かき玩具の本体部を取り外した斜視図である。
【図３】本考案の実施例に係る氷かき玩具の分解斜視図である。
【図４】本考案の実施例に係る氷かき玩具の切削刃部と可動式保護部の断面図である。
【図５】本考案の実施例に係る氷かき玩具の可動式保護部の作動に関する説明図である。
【図６】本考案の実施例に係る氷かき玩具の切削刃部と可動式保護部の断面図である。
【図７】本考案の実施例に係る氷かき玩具の氷収納部の底面を下方から見た斜視図である。
【図８】本考案の実施例に係る氷かき玩具の氷収納部の底面を下方から見た斜視図である。
【考案を実施するための形態】
【００１２】
以下、本考案を実施するための形態について述べる。本考案の氷かき玩具100は、家庭で子供が遊びながらかき氷を作る氷かき玩具100であって、上方に回転可能とされるハンドル51を有し、下方に環状の係合部75を有し、内部にハンドル51と一体とされて回転及び上下移動可能な円板状の氷押圧部60を収納する本体部50を備える。また、氷かき玩具100は、切削刃21を有する底部と筒状の側壁部16とを有して氷を入れる空間を形成し、側壁部16の下方外周には係合部75を収納可能とするとともに収納した係合部75に押下される突起部12を内蔵する環状溝部13を有し、突起部12が押下されたときに移動して切削刃21を覆う位置から外れる保護板41を備える可動式保護部40を底部に有する氷収納部10を備える。そして、氷かき玩具100は、氷収納部10の下方に配置され、ハンドル51の押下回転操作によって、氷押圧部60が回転降下したとき、切削刃21によって砕かれたかき氷を受けるためのかき氷受皿容器を配置させる容器配置空間88を底部の下方に形成するスタンド80を備える。そして、氷かき玩具100は、保護板41には、保護板バネ44を備え、氷収納部10に本体部50が取り付けられていないとき、係合部75を押し上げるとともに切削刃21の刃先を覆う位置に保護板41を位置させるように保護板バネ44により付勢している。
【００１３】
また、保護板バネ44が底部の外周縁近傍に配置されていることもある。
【実施例】
【００１４】
以下、本考案の実施例について図を用いて説明する。以下、図面を参照して本考案に係る実施例を詳細に説明する。図１は、本考案の実施例に係る氷かき玩具100の外観斜視図である。図２は、本体部50を外した状態の氷かき玩具100の斜視図である。図３は、本考案の実施例に係る氷かき玩具100の分解斜視図である。
【００１５】
氷かき玩具100は、図１及び図２に示すように、かき氷を受けるかき氷受皿容器を配置可能な容器配置空間88を設けて立設したスタンド80、スタンド80の上方で所定の氷を装填させるとともに内部にその氷を切削するための切削刃21や切削刃21の刃先を覆う保護板41を配置した氷収納部10、及び、氷収納部10の上方でかき氷を作るための手動のハンドル51を有する本体部50を備える。
【００１６】
そして、氷かき玩具100は、予め、容器配置空間88にかき氷受皿容器を配置させ、本体部50を氷収納部10から上方に抜き取るように外して、氷収納部10に所定の氷を装填して本体部50を元の状態に戻し、ハンドル51を手動で回転させることにより、かき氷を作成するものであり、子供から大人まで楽しむことができる玩具である。
【００１７】
このように、氷かき玩具100は、本体部50と氷収納部10とが氷収納部10内に氷をセットするために分離可能であって、本体部50の下方に形成した環状の係合部75を氷収納部10の周縁に設けた環状溝部13に嵌めて、所定の位置で僅かに回転させることによりロックされる機構を有して、合体させるものである。
【００１８】
そして、スタンド80は、氷かき玩具100で作成されるかき氷を受ける器を配置させるための空間を有する硬質樹脂製のスタンドであって、容器配置空間88の周囲に円弧状柱81を形成している。また、スタンド80は、図３に示すように、上方に氷収納部10を配置させて複数の螺子89で一体とさせているものである。
【００１９】
氷収納部10は、硬質樹脂製の略円筒形状の側壁部16を有して、この側壁部16の内側空間に所定の氷を装填させるものとし、その底面にスリット部11を設けて、そのスリット部11に氷を切削するための切削刃21等を備える切削刃部20と、切削刃21を保護する可動式保護部40と、を並列に配置させている。
【００２０】
切削刃部20は、氷を切削させる切削刃21、切削刃21を氷収納部10のスリット部11で固定させる切削刃受け台22、及び、切削刃21を切削刃受け台22に固定させるための複数の螺子29を備える。
【００２１】
可動式保護部40は、本体部50が外されて氷収納部10の底面で露出された切削刃21を覆うように保護する保護板41、本体部50の係合部75により氷収納部10の突起部12が押し込まれて作動する突起連動部42、突起連動部42と係合する保護板41の一部であって、保護板41をスライドさせる保護板作動部43、保護板41を通常、切削刃21を覆って保護する側に付勢させる保護板バネ44、保護板41を氷収納部10の底面でスライド可能なように組み付ける保護板カバー45、及び、氷収納部10の底面で保護板カバー45を組み付ける複数の螺子49を備える。なお、可動式保護部40の各部の詳細な動作については、後述する。
【００２２】
そして、氷収納部10は、側壁部16の下方外周に環状溝部13を有し、この環状溝部13の内部に突起部12を設けており、この突起部12を作動させて氷収納部10の底部に位置する切削刃21に誤って接触しないように、保護板41で保護する位置に配置させて安全な操作を可能とするものである。
【００２３】
また、本体部50は、図３に示したように、硬質樹脂製の両面のカバーでハンドル51に連動して作動する氷押圧部60を覆うように構成されている。また、本体部50は、下方の円周状に氷収納部10の環状溝部13に挿入されて本体部50を氷収納部10に固定係合する係合部75を有する。そして、係合部75は、氷収納部10に本体部50を取り付けることにより、氷収納部10の環状溝部13の内部に設けた突起部12を下方に押し下げる働きを有する。
【００２４】
氷押圧部60は、回転可能なハンドル51に連動して回転するものであって、氷収納部10の側壁部16内径に略一致する直径の円板状形状とされてハンドル51の軸部であるハンドル軸55と下方で一体とされている。また、氷押圧部60は、ハンドル51とともに上下動可能な構造とされており、氷収納部10の側壁部16内部に配置された氷を切削刃21で切削させるために押圧させるものである。そして、氷押圧部60は、円板形状の板材であって、下方の面に氷収納部10に配置された氷かき用の所定の氷を保持しながら押圧するための氷係合突起61と氷係止ピン62とを備える。
【００２５】
氷係合突起61は、円板状の氷押圧部60と下面で一体成型で形成された突起部であって、かき氷用の氷を支持するものである。
【００２６】
氷係止ピン62は、金属製の円錐形状のピンであって、かき氷用の氷をハンドル51に連動して回転させるために、氷を掘削してピンを挿入させ氷と氷押圧部60を一体とさせて支持するものである。
【００２７】
次に、氷収納部10のスリット部11の切削刃部20と可動式保護部40について図を用いて説明する。図４は、氷かき玩具100の本体部50を取り外した状態の氷収納部10のスリット部11の切削刃部20と可動式保護部40とを側面から見た断面図である。
【００２８】
可動式保護部40は、図４に示すように、本体部50が外されたときに、可動式の保護板41を切削刃21の先端と対向する位置に作動させて配置させ、ユーザが切削刃21の先端の刃先に誤って接触するのを防ぐものである。
【００２９】
切削刃部20は、図４に示したように、切削刃21が氷収納部底面のスリット部11から上方斜めに刃先のみが突出して露出するように配置されている。そして、切削刃21は刃先の後方で螺子等により切削刃受け台22に固定されている。
【００３０】
そして、切削刃受け台22は、螺子29により氷収納部10に設けられた柱状のリブに固定されている。
【００３１】
可動式保護部40は、本体部50の取り外しに連動する突起部12と、突起部12に連動する保護板41と、を主として構成される。
【００３２】
突起部12は、図４に示したように、本体部50の取り外された状態では、氷収納部10の環状溝部13内で底面の高さよりも上方に突出している。また、突出している突起部12の先端より下方には、保護板作動部43と係合する突起連動部42を有しており、これが、本体部50が取り付けられて下方に押し込まれることにより、保護板41と一体とされる保護板作動部43を斜め下方向に作動させることとなる。
【００３３】
また、突起部12の突起連動部42よりも下方には、幅細の円柱形状の芯部分を有し、氷収納部10の同軸上に位置する突起受け部14にその芯部分を挿入させている。そして、芯部分には、突起用スプリング15が軸入されており、突起用スプリング15が突起部12を上方に付勢させるように配置されている。
【００３４】
保護板41は、図４に示したように、本体部50の取り外された状態では、氷収納部10の底面及び環状溝部13よりも斜め上方に突出して、例えば、ユーザが氷を氷収納部10にセットするときであっても、切削刃21の刃先に対してユーザが不用意に接触しないように対向している。
【００３５】
そして、保護板41は、氷収納部10の底面下方において、斜め方向にスライド動作可能なように周囲を保護板カバー45で覆うように配置され、保護板カバー45は、氷収納部10底面下方に設置されたガイド柱19等により位置決めされて組み付けられている。
【００３６】
また、保護板41の後方面には、保護板バネ44を有し、保護板バネ44の一方を保護板41の斜め後方の先端に係止させ、保護板バネ44の他方を氷収納部10底面下方に設置されたガイド柱19に係止させて、保護板41をスリット部11から突出させる側に付勢させている。
【００３７】
次に、氷かき玩具100の可動式保護部40の作動に関して図を用いて説明する。図５は、本考案の実施例に係る氷かき玩具100の可動式保護部40の作動に関する説明図である。図６は、氷かき玩具100の本体部50を取り付けた状態の氷収納部10のスリット部11の切削刃部20と可動式保護部40とを側面から見た断面図である。
【００３８】
先述のとおり、可動式保護部40は、図５（ａ）に示すように、本体部50が外されたときには、可動式の保護板41を切削刃21の先端と対向する位置に作動させて配置させ、ユーザが切削刃21の先端の刃先に誤って接触するのを防ぐものである。
【００３９】
そして、図５（ｂ）に示すように、氷収納部10に本体部50を取付けようとすると、本体部50下方周縁の係合部75が氷収納部10の環状溝部13に挿入されて、係合部75の一端が突起部12の上方先端を突起用スプリング15を縮めながら下方に押し込むこととなる。
【００４０】
そして、突起部12の上方先端が下方に押し込まれると、図５（ｃ）に示すように、突起連動部42が保護板作動部43を下方に押し込み、保護板バネ44を伸ばしながら保護板作動部43と一体とされる保護板41を斜め下方向にスライド移動させることとなる。
【００４１】
そして、係合部75を環状溝部13に押し込んで本体部50を僅かに回転させ、氷収納部10に本体部50を固定すると、保護板41は、図６に示したように、氷収納部10の底面及び環状溝部13よりも斜め下方に潜って、切削刃21を露出させた状態が維持されるとともに、氷収納部10の底面にスリット部11を設ける、そして、ユーザがハンドル51を回転押下操作をすると、かき氷をスリット部11から下方に落下させることとなる。
【００４２】
なお、保護板41を付勢させる保護板バネ44は、図７に示すように、保護板41の略中央部分でスライド方向に配置させるものがある。この場合、突起部12を突起用スプリング15で押し上げるとともに、保護板バネ44により、保護板41を斜め上方に移動復元させるとき、保護板41の中央近傍を押し上げて保護板41を切削刃21の刃先位置に容易に且つ確実に戻すことができる。
【００４３】
また、図８に示すように、保護板バネ44aを底部の外周縁近傍に寄せて配置させることもある。この場合、突起部12の上下方向の作動に対して、保護板41を押し上げるように付勢する保護板バネ44が近接することから、突起連動部42により保護板作動部43を押し下げて保護板41に加わる回転モーメントを小さくし、保護板41の降下作動を安定させ、小さな力で突起部12を押し下げて保護板41を降下させることができる。
【００４４】
以上のように本考案によれば、子供が安全にかき氷を作って遊ぶことができる氷かき玩具100を提供することができる。
【００４５】
また、本考案によれば、氷収納部10の底部の外周縁近傍に保護板バネ44を設けることにより、保護板41の作動を安定させることを可能にしている。
【符号の説明】
【００４６】
10    氷収納部                          11    スリット部
12    突起部                            13    環状溝部
14    突起受け部
15    突起用スプリング                  16    側壁部
19    ガイド柱
20    切削刃部                          21    切削刃
22    切削刃受け台                      29    螺子
40    可動式保護部                      41    保護板
42    突起連動部                        43    保護板作動部
44    保護板バネ                        45    保護板カバー
49    螺子
50    本体部                            51    ハンドル
60    氷押圧部                          75    係合部
80    スタンド                          81    円弧状柱
88    容器配置空間                      89    螺子
100   氷かき玩具
【図１】
0003177727.tif 000003
【図２】
0003177727.tif 000004
【図３】
0003177727.tif 000005
【図４】
0003177727.tif 000006
【図５】
0003177727.tif 000007
【図６】
0003177727.tif 000008
【図７】
0003177727.tif 000009
【図８】
0003177727.tif 000010